(57)【要約】【課題】従来の碍子被覆プラグは、無機系接着剤を用いて碍子体と金属芯とが固着されているため、碍子体と金属芯の間の気密性を保持することが難しく、金属芯が熱により膨張した場合に碍子と金属芯が剥離してしまうという問題があった。【解決手段】碍子体１の中空部２に金属芯３を貫通挿入し、碍子体１と金属芯３とを固着するための接着剤として無機系接着剤４と有機系弾性接着剤５を用いた。中空部２の一端に無機系接着剤４を封入することで耐熱性を高めるとともに、他端に有機系弾性接着剤を封入することで、気密性の保持および熱による膨張を吸収して高温下での使用に適した碍子被覆プラグが簡単に構成されることになる。そしてこの碍子被覆プラグを燃焼装置に用いることで、信頼性の高い燃焼装置を得ることができる。【選択図】図１
2008101834.tif 000002
【特許請求の範囲】
【請求項１】
中空部を有する碍子体と、前記碍子体の中空部に貫通挿入される金属芯とを具備し、前記碍子体の中空部に接着剤を封入して碍子体と金属芯とを固着してなる碍子被覆プラグであって、前記接着剤として無機系接着剤と有機系弾性接着剤が用いられていることを特徴とする碍子被覆プラグ。
【請求項２】
前記中空部の一端に無機系接着剤を、他端に有機系弾性接着剤を封入することを特徴とする請求項１記載の碍子被覆プラグ。
【請求項３】
燃料を燃焼するバーナと、前記バーナに設置されバーナで形成される火炎に臨む碍子被覆プラグとを備えた燃焼装置において、前記碍子被覆プラグは、中空部を有する碍子体と、前記碍子体の中空部に貫通挿入される金属芯とを具備し、前記碍子体の火炎に臨む側の中空部には無機系接着剤を封入するとともにその反対側に有機系弾性接着剤を封入して碍子体と金属芯とを固着してなることを特徴とする燃焼装置。
【請求項４】
燃料を燃焼するバーナと、前記バーナに設置されバーナで形成される火炎に臨む点火手段および火炎検知手段とを備えた燃焼装置において、前記点火手段および火炎検知手段をバーナ外部と接続する碍子被覆プラグを設け、前記碍子被覆プラグは、中空部を有する碍子体と、前記碍子体の中空部に貫通挿入される金属芯とを具備し、前記碍子体のバーナ側の中空部には無機系接着剤を封入するとともにその反対側に有機系弾性接着剤を封入して碍子体と金属芯とを固着してなることを特徴とする燃焼装置。
【発明の詳細な説明】
【技術分野】
【０００１】
本発明は、碍子体の中空部に金属芯を貫通挿入してなる碍子被覆プラグおよびこの碍子被覆プラグを用いた燃焼装置に関するものである。
【背景技術】
【０００２】
従来、碍子被覆プラグは図４に示すように、中空部２２を有する碍子体２１に金属芯２３を貫通挿入して構成され、中空部２２に接着剤２４を封入することで、碍子体２１と金属芯２３とが固着されるようになっている。
【０００３】
なお、このようにして構成される碍子被覆プラグの用途としては、燃焼装置の点火手段や炎検知手段などが挙げられるが、点火手段や炎検知手段として用いられた場合には火炎に曝されることとなるため、この碍子被覆プラグには耐熱性が要求される。
【０００４】
そのため、碍子体２１と金属芯２３を固着するための接着剤２４は耐熱性の高いものを用いる必要があり、一般的には無機系の熱硬化型のものが使用されている（特許文献１）。
【特許文献１】特開２０００−１９３２３９号公報
【発明の開示】
【発明が解決しようとする課題】
【０００５】
ところで、上述のように碍子被覆プラグを燃焼装置などに用いる場合においては、耐熱性だけでなく気密性の保持もまた重要な要求事項となる。しかしながら、無機系接着剤は耐熱性に優れるものの、多孔質であるために碍子体と金属芯の間の気密性を保持することが難しく、また、接着対象の膨張に順応しないため、金属芯が熱により膨張した場合に碍子体と金属芯が剥離してしまうという問題があった。
【０００６】
本発明は上記課題を解決するためのもので、耐熱性に優れるとともに気密性を保持することのできる碍子被覆プラグおよびこの碍子被覆プラグを用いた燃焼装置を提供することを目的とする。
【課題を解決するための手段】
【０００７】
本発明は、中空部を有する碍子体と、前記碍子体の中空部に貫通挿入される金属芯とを具備し、前記碍子体の中空部に接着剤を封入して碍子体と金属芯とを固着してなる碍子被覆プラグであって、前記接着剤として無機系接着剤と有機系弾性接着剤が用いられていることを特徴とする碍子被覆プラグである。
【０００８】
また、前記中空部の一端に無機系接着剤を、他端に有機系弾性接着剤を封入することを特徴とする請求項１記載の碍子被覆プラグである。
【０００９】
また、燃料を燃焼するバーナと、前記バーナに設置されバーナで形成される火炎に臨む碍子被覆プラグとを備えた燃焼装置において、前記碍子被覆プラグは、中空部を有する碍子体と、前記碍子体の中空部に貫通挿入される金属芯とを具備し、前記碍子体の火炎に臨む側の中空部には無機系接着剤を封入するとともにその反対側に有機系弾性接着剤を封入して碍子体と金属芯とを固着してなることを特徴とする燃焼装置である。
【００１０】
また、燃料を燃焼するバーナと、前記バーナに設置されバーナで形成される火炎に臨む点火手段および火炎検知手段とを備えた燃焼装置において、前記点火手段および火炎検知手段をバーナ外部と接続する碍子被覆プラグを設け、前記碍子被覆プラグは、中空部を有する碍子体と、前記碍子体の中空部に貫通挿入される金属芯とを具備し、前記碍子体のバーナ側の中空部には無機系接着剤を封入するとともにその反対側に有機系弾性接着剤を封入して碍子体と金属芯とを固着してなることを特徴とする燃焼装置である。
【発明の効果】
【００１１】
上述のように構成することにより、耐熱性に優れるとともに気密性を保持することのできる碍子被覆プラグを構成することができる。
【００１２】
また、この碍子被覆プラグを燃焼装置に用いることにより、信頼性さらにはメンテナンス性に優れた燃焼装置を提供することとなるのである。
【発明を実施するための最良の形態】
【００１３】
好適と考える本発明の最良の形態を、本発明の作用効果を示して簡単に説明する。
【００１４】
本発明の碍子被覆プラグは、碍子体の中空部に金属芯を貫通挿入し、この中空部に接着剤を封入して碍子体と金属芯とを固着したものであって、接着剤として無機系接着剤と有機系弾性接着剤を用いて構成されている。
【００１５】
一般的に、無機系接着剤は耐熱性に優れているため、高温下での使用に耐えることができるという利点がある一方、多孔質であるため気密性を保持することが難しく、また接着対象の膨張に順応しないため金属芯が熱により膨張すると碍子体と金属芯が剥離してしまうおそれがあるという問題がある。そしてこれとは反対に、有機系弾性接着剤は、耐熱温度は無機系接着剤より低いものの、気密性および膨張に対する順応性に優れているという特徴がある。
【００１６】
そこで、中空部の一端に無機系接着剤を封入することで耐熱性を高めるとともに、他端に有機系弾性接着剤を封入することで、気密性の保持および熱による膨張を吸収して高温下での使用に適した碍子被覆プラグが簡単に構成されることとなる。
【００１７】
そしてこの碍子被覆プラグを、例えば、燃焼装置の点火手段や火炎検知手段として用いた場合、点火手段や火炎検知手段の一端は火炎に曝されるから、碍子と金属芯とを固着する手段は耐熱性を有する必要があり、そしてそれと同時に気密性を保持し金属芯の熱膨張にも剥離しないものでなくてはならない。
【００１８】
したがって、中空部の高温となる側に無機系接着剤を封入し、その反対側で比較的高温とはならない側には有機系弾性接着剤を封入することで、上述の課題を解決することのできる碍子被覆プラグを構成し、この碍子被覆プラグを燃焼装置に用いることにより、信頼性さらにはメンテナンス性に優れた燃焼装置を提供することとなるのである。
【実施例】
【００１９】
本発明の具体的な実施例について図面に基づいて説明する。
【００２０】
（実施例１）図１は本発明の碍子被覆プラグの断面図であって、中空部２を有する碍子体１と、碍子体１の中空部２に貫通挿入される金属芯３とを備え、この碍子体１の中空部２に接着剤を封入して、碍子体１と金属芯３とが固着されるように構成されている。
【００２１】
碍子体１と金属芯３とを固着する接着剤は、無機系接着剤４と有機系弾性接着剤５とが用いられている。詳しくは、中空部２の一端（図１では金属芯３がコの字状に折り曲げられている側）に無機系接着剤４が封入され、その反対側には有機系弾性接着剤５が封入されている。
【００２２】
なお、無機系接着剤４は、例えば主成分がアルミナ系やシリカ系からなるものが用いられ、一般に耐熱温度が非常に高く、高温下での使用に適するとされている。
【００２３】
そして、有機系弾性接着剤５は、例えば主成分がシリコーン樹脂やエポキシ樹脂からなるものが用いられ、無機系接着剤４に比べると耐熱温度は低いが、気密性を有し、接着対象の膨張に対する順応性が高いという特徴を有している。
【００２４】
つまり、中空部２の一端に耐熱性の高い無機系接着剤４を封入することで耐熱性を確保するとともに、他端に有機系弾性接着剤５を封入することで、気密性の保持および熱による金属芯３の膨張を吸収して、高温下での使用に適した碍子被覆プラグが構成されるのである。
【００２５】
ここで、本発明の碍子被覆プラグを燃焼装置に用いた場合について説明する。
【００２６】
図２は燃焼装置の要部の構成を示した図であり、燃料を燃焼するバーナ８は、バーナ本体９と炎孔部１０から構成されている。そして、燃料に点火する点火手段６および、燃焼状態を検知する火炎検知手段７はともに、前述の碍子被覆プラグからなるものであって、バーナ本体９内部を通ってバーナ８の外部に突出し、先端が炎孔部１０で形成される火炎に臨むようになっている。
【００２７】
点火手段６は、碍子体１の中空部２に金属芯３を貫通挿入して構成され、碍子体１の炎孔部１０に臨む側の中空部２に無機系接着剤４が封入され、その反対側の中空部２には有機系弾性接着剤５が封入されている。
【００２８】
また火炎検知手段７も同様に、碍子体１の中空部２に金属芯３を貫通挿入して構成され、碍子体１の炎孔部１０に臨む側の中空部２に無機系接着剤４が封入され、その反対側の中空部２には有機系弾性接着剤５が封入されている。
【００２９】
ところで、このような燃焼装置においてバーナ８での燃焼が開始されると、点火手段６および火炎検知手段７の一端（炎孔部１０に臨む側）は火炎に曝されるため高温となる。しかし、この部分は耐熱温度の高い無機系接着剤４を用いて碍子体１と金属芯３とが固着されているため、固着部分は高温に耐えることができるようになっている。
【００３０】
そして燃焼が継続すると、火炎に曝された金属芯３は熱により膨張する。点火手段６および火炎検知手段７の他端（無機系接着剤４が封入された反対側）は有機系弾性接着剤５が封入されており、この有機系弾性接着剤５が金属芯３の熱膨張を吸収するため、熱膨張により碍子体１と金属芯３とが剥離してしまうことを防止する。また、この有機系弾性接着剤５は気密性を有するため、点火手段６および火炎検知手段７が貫通するバーナ８の内部と外部とを気密の状態で保持することができる。
【００３１】
なお、有機性弾性接着剤５が封入される側は火炎に曝されるわけではないため、耐熱温度がそれほど高くない有機系弾性接着剤５を用いても耐熱性が問題になることはない。
【００３２】
つまり、碍子被覆プラグの高温となる側に無機系接着剤４を封入し、その反対側で比較的高温とはならない側には有機系弾性接着剤５を封入することで、耐熱性に優れるとともに、気密性を保持することのできる碍子被覆プラグを構成することができ、この碍子被覆プラグを燃焼装置の点火手段６や火炎検出器７として用いることにより、信頼性に優れた燃焼装置を提供することとなるのである。
【００３３】
（実施例２）図３は、実施例２の燃焼装置の要部の構成を示した図であり、燃料を燃焼するバーナ８は、バーナ本体上部１１とバーナ本体下部１２と炎孔部１０から構成され、バーナ本体上部１１とバーナ本体下部１２は分割して組み立てられるようになっている。
【００３４】
燃料に点火する点火手段６および燃焼状態を検知する火炎検知手段７は、バーナ本体上部１１の内部を通ってバーナ８の外部に突出し、先端が炎孔部１０で形成される火炎に臨むようになっている。
【００３５】
また、点火手段６および火炎検知手段７は連結部材１３によって中継プラグ１４と接続され、この中継プラグ１４はバーナ本体下部１２の内部を通ってバーナ８の外部と連通している。
【００３６】
中継プラグ１４は、碍子体１の中空部２に金属芯３を貫通挿入して構成されており、連結部材１３に接続する側の中空部２に無機系接着剤４が封入され、その反対側の中空部２には有機系弾性接着剤５が封入されている。
【００３７】
このような燃焼装置においてバーナ８での燃焼が開始されると、中継プラグ１４の連結部材１３に接続する側は火炎に近いため温度が上昇する。しかし、この部分は耐熱温度の高い無機系接着剤４を用いて碍子体１と金属芯３とが固着されているため、固着部分は高温に耐えることができるようになっている。
【００３８】
そして燃焼が継続すると、金属芯３は燃焼熱により膨張するが、中継プラグ１４のバーナ８外部と連通する側は有機系弾性接着剤５が封入されており、この有機系弾性接着剤５が金属芯３の熱膨張を吸収するため、熱膨張により碍子体１と金属芯３とが剥離してしまうことを防止する。また、この有機系弾性接着剤５は気密性を有するため、バーナ８の内部と外部とを気密の状態で保持することができる。
【００３９】
つまり、中継プラグ１４の高温となる側に無機系接着剤４を封入し、その反対側で比較的高温とはならない側には有機系弾性接着剤５を封入することで、耐熱性に優れるとともに、気密性を保持することのできる中継プラグ１４を構成することができ、この中継プラグ１４をバーナ８の外部との中継手段として用いることにより、信頼性に優れた燃焼装置を提供することとなるのである。
【００４０】
さらに、バーナ本体上部１１とバーナ本体下部１２とを分割して構成することができるため、バーナ８の組み立てや分解を容易に行うことが出来るようになり、メンテナンス性にも優れた燃焼装置となる。
【図面の簡単な説明】
【００４１】
【図１】本発明の実施例の碍子被覆プラグの断面図である。
【図２】本発明の実施例１の燃焼装置の構成図である。
【図３】本発明の実施例２の燃焼装置の構成図である。
【図４】従来の碍子被覆プラグの断面図である。
【符号の説明】
【００４２】
１    碍子体
２    中空部
３    金属芯
４    無機系接着剤
５    有機系弾性接着剤
６    点火手段
７    火炎検知手段
８    バーナ
【図１】
2008101834.tif 000003
【図２】
2008101834.tif 000004
【図３】
2008101834.tif 000005
【図４】
2008101834.tif 000006